(57)【要約】【課題】歯科用歯測定装置にて被写体となる歯を外光の影響を受けないような状態で撮影（測定）でき、かつ、安定した撮影位置に位置させることが可能な歯科用歯測定用コンタクトキャップを提供する。【解決手段】歯科用歯測定装置のカメラにコンタクトキャップ３１が装着され、該キャップの中央開口部をカメラ側撮影窓の前面に位置させた状態として被測定歯である上側門歯５１の撮影が行われる。上記中央開口部の上辺部の厚みは、下辺部の厚みより薄くなっており、撮影時に上側門歯５１を上記開口部に位置させたとき、薄い上辺部がよく上歯茎部にフィットするので上側門歯５１が位置ずれしにくく保持され、また、外光が上記開口部より侵入することも抑えられる。一方、厚い下辺部には上側門歯５１と噛み合った下側門歯５２が当接するので、門歯５１のカメラ光軸方向のずれが防止される。【選択図】図２９
2006180947.tif 000002
【特許請求の範囲】
【請求項１】
歯科用歯測定装置用コンタクトキャップにおいて、
上記歯測定装置により歯測定歯の撮影を行う場合、上記歯測定装置の撮影窓部周辺を覆う状態で装着可能なキャップ部と、
上記キャップ部の前方に配され、装着状態で上記撮影窓部に対向する開口部と、
を具備しており、上記キャップ部は、柔軟性のある弾性変形可能な材料で形成されており、上記開口部の一辺部の厚みは、上記一辺部に対向する他辺部の厚みよりも薄く形成されていることを特徴とする歯科用歯測定装置用コンタクトキャップ。
【請求項２】
上記キャップ部は、黒色の材料で形成されていることを特徴とする請求項１に記載の歯科用歯測定装置用コンタクトキャップ。
【請求項３】
上記キャップ部の内面は、シボ面であることを特徴とする請求項２に記載の歯科用歯測定装置用コンタクトキャップ。
【請求項４】
上記開口部の大きさは、被測定歯の大きさより所定の余裕寸法分だけ大きくした寸法であることを特徴とする請求項１に記載の歯科用歯測定装置用コンタクトキャップ。
【請求項５】
さらに、上記開口部の上記他辺部には前方に突出し、被測定歯で噛み込み可能な突起部が設けられていることを特徴とする請求項１記載の歯科用歯測定装置用コンタクトキャップ。
【請求項６】
さらに、上記開口部の左右には前方に向けて突出する柔軟性のある薄い一対の遮光用ひれ部が設けられていることを特徴とする請求項１、または、５に記載の歯科用歯測定装置用コンタクトキャップ。
【請求項７】
請求項１に記載の歯科用歯測定装置用コンタクトキャップを装着した状態で被測定歯のマルチバンド撮影を行うカメラを有することを特徴とする歯科用歯測定装置。
【発明の詳細な説明】
【技術分野】
【０００１】
本発明は、例えば、歯科用歯測定装置における撮影（測定）時に適用される撮影補助具としての撮影用コンタクトキャップ、および、上記歯科用歯測定装置に関する。
【背景技術】
【０００２】
従来、歯科院において患者に義歯（差し歯）、特に門歯用義歯をいれるといった治療を行う場合、患者の該当する門歯に隣り合った生活歯（または、失活歯）の色を何らかの方法で測定、比較してそれに合った色の義歯を選択する必要がある。現状での歯のシェードの測定方法としては、シェードガイドと呼ばれる参照板を患者の歯と比較して、歯科医が目視にて最も近いシェードと判断したシェードガイドの番号を歯のシェードとする。この番号により漂白効果を確認したり、また、歯科技工所へ伝達して義歯（差し歯）の構築がなされている。
【発明の開示】
【発明が解決しようとする課題】
【０００３】
しかし、上述したシェードガイドを利用して目視により判断して義歯のシェードを決定する従来の方法では、照明の影響を受けやすく、その部屋の照明の種類や外光の影響により同じ患者の歯でも異なったシェードと判断しやすい。また、判定を行う医師（または歯科技工士）も、その時の健康状態により判定のばらつきも大きく、満足のいく義歯の選択が行われることが困難であった。
【０００４】
そのような状況下で照明や判定者の影響を受けずに正確に歯のシェードを取得するために該当する歯を撮影し、その画像情報によってより正確な歯のシェード情報を取得することができる歯科用歯測定装置（撮影装置）が望まれている。上記歯測定装置により実際撮影を行う場合、歯単体（生活歯）を近接撮影する必要があるが、単に従来の近接撮影状態での撮影を行うとすると、照明の影響は避けられない。そこで、特殊光の照明下での撮影を行う必要が生じる。その場合、外光を遮蔽し、かつ、被写体となる歯をより正確に撮影位置に位置させるためのフードとなる撮影用コンタクトキャップをカメラに装着する必要が不可欠となる。
【０００５】
本発明は、上述の問題を解決するためになされたものであり、歯科用歯測定装置に適用可能であって、被測定歯（被写体）を外光の影響を受けないような状態で撮影でき、かつ、安定した撮影位置に位置させることが可能な歯科用歯測定用コンタクトキャップ、および、該コンタクトキャップを適用する歯科用歯測定装置を提供することを目的とする。
【課題を解決するための手段】
【０００６】
本発明の請求項１記載の歯科用歯測定装置用コンタクトキャップは、上記歯測定装置により歯測定歯の撮影を行う場合、上記歯測定装置の撮影窓部周辺を覆う状態で装着可能なキャップ部と、上記キャップ部の前方に配され、装着状態で上記歯測定装置の撮影窓部に対向する開口部とを具備しており、上記キャップ部は、柔軟性のある弾性変形可能な材料で形成されており、上記開口部の一辺部の厚みは、上記開口部の上記一辺部に対向する他辺部の厚みよりも薄く形成されている。
【０００７】
本発明の請求項２に記載の歯科用歯測定装置用コンタクトキャップは、請求項１に記載の歯科用歯測定装置用コンタクトキャップにおいて、上記キャップ部は、黒色の材料で形成されている。
【０００８】
本発明の請求項３に記載の歯科用歯測定装置用コンタクトキャップは、請求項２に記載の歯科用歯測定装置用コンタクトキャップにおいて、上記キャップ部の内面は、シボ面である。
【０００９】
本発明の請求項４に記載の歯科用歯測定装置用コンタクトキャップは、請求項１に記載の歯科用歯測定装置用コンタクトキャップにおいて、上記開口部の大きさは、被測定歯の大きさより所定の余裕寸法分だけ大きくした寸法である。
【００１０】
本発明の請求項５に記載の歯科用歯測定装置用コンタクトキャップは、請求項１に記載の歯科用歯測定装置用コンタクトキャップにおいて、上記開口部の上記他辺部には、前方に突出し、被測定歯で噛み込み可能な突起部が設けられている。
【００１１】
本発明の請求項６に記載の歯科用歯測定装置用コンタクトキャップは、請求項１、または、５に記載の歯科用歯測定装置用コンタクトキャップにおいて、上記開口部の左右には、前方に向けて突出する柔軟性のある薄い一対の遮光用ひれ部が設けられている。
【００１２】
本発明の請求項７に記載の歯科用歯測定装置は、請求項１に記載の歯科用歯測定装置用コンタクトキャップを装着した状態で被測定歯のマルチバンド撮影を行うカメラを有する。
【発明の効果】
【００１３】
本発明によれば、歯科用歯測定装置にて被写体となる歯を外光の影響を受けないような状態で撮影でき、かつ、安定した撮影位置に位置させることが可能な歯科用歯測定用コンタクトキャップ、および、該コンタクトキャップを適用する歯科用歯測定装置を提供することができる。
【発明を実施するための最良の形態】
【００１４】
以下、図を用いて本発明の実施形態について説明する。  
図１，２は、本発明の各実施形態の撮影用コンタクトキャップを適用可能なカメラとクレードルからなる歯科用歯測定（撮影）装置であるＨＭＳＣ装置（Handy Multi-Spectral Camera）の外観を示す斜視図であり、図１は、上記カメラをクレードルに装着したときの遮光カバー開状態、図２は、遮光カバー閉状態を示す。図３，４は、上記クレードルの斜視図であって、図３は、遮光カバー開状態、図４は、遮光カバー閉状態を示す。図５〜７は、上記カメラの外観を示す斜視図であって、図５は、正面側から見た斜視図であり、図６は、背面側から見た斜視図であり、図７は、背面上方から見た斜視図である。
【００１５】
図８〜１４は、上記カメラの外観形状を示す図であって、図８は、正面図であり、図９，１０は、左，右側面図であり、図１１，１２は、平面図と下面図であり、図１３は、背面図であり、図１４は、図９のＡ矢視図である。図１５〜２１は、上記クレードルの外観形状を示す図であって、図１５は、正面図であり、図１６，１７は、左，右側面図であり、図１８，１９は、平面図と下面図であり、図２０は、背面図であり、図２１は、図１６のＢ矢視図である。図２２〜２８は、上記カメラを上記クレードルに装着した状態の外観形状を示す図であって、図２２は、正面図であり、図２３，２４は、左，右側面図であり、図２５，２６は、平面図と下面図であり、図２７は、背面図であり、図２８は、図２３のＣ矢視図である。
【００１６】
図２９〜３３は、各実施形態のうち、後述する第二の実施形態の撮影用コンタクトキャップを上記カメラに装着した状態を示す図であって、図２９は、正面図、図３０，３１は、左，右側面図であり、図３２，３３は、平面図と下面図である。
【００１７】
上記ＨＭＳＣ装置は、図１，２に示すようにクレードル１とクレードル１に着脱可能なカメラ２とからなる。
【００１８】
クレードル１は、カメラ１が装着された状態でカメラ１の内蔵電池への充電と、ＵＳＢを介してカメラ１に取り込まれた撮影画像データのパーソナルコンピュータ（図示せず）への伝送とを行う。また、クレードル１には、カメラ１の撮影画像データキャリブレーション用の参照板４が組み込まれており、カメラ１の装着状態で参照板４の周囲を遮光するための回動可能な遮光カバー３が取り付けられている。
【００１９】
カメラ２は、複数のＬＥＤからなるＬＥＤ照明系１７，フォーカシング可能な撮影光学系１８，カラーＣＣＤを内蔵する撮像部１９（後述する図４１，５１，５５に記載）と、ＬＣＤ表示部（図６）１６と、撮像処理部，画像メモリ部，通信制御部（図示せず）と、コネクタ１４（図６）とをカメラ本体内に内蔵している。カメラ本体の前面部に固着されるトップカバー１２の外周部には、後述する撮影用コンタクトキャップ３１，３１Ａ，３１Ｂ，３１Ｃのいずれかが装着可能である。ＬＥＤ照明系１７，撮影光学系１８，撮像部１９は、トップカバー１２前方に配される撮影窓部１２ａ後方に撮影光軸Ｏに沿った状態でカメラ本体内に配設される。なお、トップカバー１２の前方のには、図５に示すように撮影窓部１２ａの側方に切り欠き１２ｂが設けられている。この切り欠き部１２ｂは、撮影窓部１２ａのよごれを清掃するの都合がよいように設けられている。
【００２０】
上記ＨＭＳＣ装置においては、カメラ２をクレードル１に装着し、充電を行った後、参照板４の画像が取り込まれ、撮影画像データのキャリブレーションが行われる。キャリブレーション後、カメラ２をクレードル１から外して後述する３つの撮影モードの撮影が行われる。撮影時、撮影者は、カメラ２の本体を手でホールドし、ＬＣＤ表示部１６上の被写体像を観察しながらフォーカスリング１３を回動操作してピント合わせを行い、操作スイッチ釦１５を操作して被写体（患者の顔，全顎，単歯）の画像を取り込む。
【００２１】
上記３つの撮影モードは、顔貌撮影モードと、全顎撮影モードと、測定撮影モードとであり、上記顔貌撮影モードでは、外光照明のもとで患者の顔全体をカラーＣＣＤにより撮影し、参照用画像データ（ＲＧＢ撮影画像データ）が取り込まれる。
【００２２】
上記全顎撮影モードでは、やはり外光照明のもとで患者の歯全体をカラーＣＣＤにより撮影し、参照用画像データ（ＲＧＢ撮影画像データ）が取り込まれる。
【００２３】
上記測定撮影モードでは、外光を遮光し、さらに被写体である単歯を撮影開口に安定して位置させるために後述するコンタクトキャップをカメラ２の先端のトップカバー１２（図２９）に装着する。そして、装着されたコンタクトキャップの開口部を通して患者の指定された被測定歯（生活歯）である単歯（２本の歯でもよい）を複数の波長を持つ複数のＬＥＤによる光を照明光としたマルチバンド撮影が行われる。この撮影により単歯のシェードを正確に計測するためのマルチバンド撮影画像データが取り込まれる。
【００２４】
上述した各撮影モードでの撮影が終了すると、カメラ２は、再びクレードル１に装着され、各撮影画像データがＵＳＢを介してパーソナルコンピュータ側に転送される。上記パーソナルコンピュータでは、ＲＧＢ撮影画像データのファイリング処理と、マルチバンド撮影画像データのキャリブレーション補正処理と、マルチバンド撮影画像データの色度演算処理，シェードガイド番号判定処理とが行われ、ＲＧＢ撮影画像データに対応させた状態でシェードガイド、色度データが記憶される。その記憶データは、技工所に送られ、撮影された生活歯に合った見栄えの義歯材料が選択される。
【００２５】
上述した測定撮影モードの撮影時にカメラのトップカバー１２に装着されるコンタクトキャップの各実施形態について説明する。
【００２６】
図３４〜３９は、本発明の第一の実施形態であるコンタクトキャップの外観形状を示す図であって、図３４は、正面図であり、図３５，３６は、左，右側面図であり、図３７，３８は、平面図と下面図であり、図３９は、背面図である。図４０は、図３４のＤ−Ｄ断面図である。図４１は、上記測定撮影モードでの単歯撮影状態を図４０の断面上で示した図であって、コンタクトキャップの開口部に上側門歯を当てて撮影している状態を示している。図４２は、上記単歯撮影状態の図４１のＥ矢視図を示す。
【００２７】
上記図４１にはコンタクトキャップが装着されたトップカバー１２およびカメラ本体内に撮影光軸Ｏに沿って配されるＬＥＤ照明系１７，撮影光学系１８，撮像部１９も２点鎖線で示されている。なお、以下の説明において、カメラ装着状態の光軸Ｏと直交する方向のうち、図示する上下方向をＹ方向とし、Ｙ方向と直交する方向を左右方向として説明する。
【００２８】
この第一の実施形態のコンタクトキャップ３１は、黒色の伸縮自在な合成樹脂ゴム、例えば、スチレン系エラストマからなる薄肉キャップ形状を有する部材であって、カメラ２のトップカバー１２の外側前方に被せることが可能な部材である（図４１）。素材のゴム硬度は、フィット性、装着性上から７０°程度の材料を適用する（許容範囲として５０°〜８０°）。なお、このコンタクトキャップ３１は、使用後は破棄される、使い捨てタイプである。
【００２９】
コンタクトキャップ３１には、前面部にトップカバー１２を覆うように装着されるキャップ部３１ｊと、該キャップ部前面位置であって、装着状態で撮影光学系１８前方の光軸Ｏ中心位置に配される撮影用窓部となる中央開口部３１ａと、左右側にて光軸Ｏ方向と平行に後方に延出する２つの延出部３１ｂと、キャップ部後端上部に上下装着方向識別のための突起３１ｉとが設けられる。キャップ部内面は反射防止のためにシボ面となっている。また、キャップ部内面の形状は、上下、左右対称な形状を有しているので、トップカバー１２に対して上下逆さまに装着可能とする。
【００３０】
中央開口部３１ａの大きさは、正方形開口部であり、寸法Ｐ1 ，Ｐ2 は等しく、一辺１２mmとする。この大きさは、撮影対象となる一般の大人の門歯の大きさの上限をおよそ１０mm正方とし、余裕分片側１mmを加えた大きさである。この正方形開口部を必要最小限の寸法に設定することにより侵入する外光を抑え、さらに、患者口内側からの息の流入を制限している。但し、上記正方形開口部の大きさは、特殊ケースに対して他の寸法のものを用意することは勿論可能である。
【００３１】
中央開口部３１ａの外面側は、上下方向の傾斜面となっており、上辺部の厚さｔ1 と下辺部の厚さｔ2 とは、ｔ1 ＞ｔ2 とする。すなわち、上辺側を薄くして柔軟性（フィット性）を持たせ、下辺側を厚くして変形しにくい形状にしている。
【００３２】
２つの延出部３１ｂは、伸縮可能な薄さで形成されており、それぞれトップカバー１２の係止突起１２ｃ（図２９，３１）に係止可能な係止穴３１ｄと、先端部につまみ部３１ｃが設けられている（図４０）。コンタクトキャップ３１をトップカバー１２に被せた状態でつまみ部３１ｃを引っ張って伸ばしながらトップカバー１２の係止突起１２ｃに係止穴３１ｄを係止させるとコンタクトキャップ３１がトップカバー１２に装着される。なお、上記コンタクトキャップ３１のカメラ装着状態の外観は、後述する第二の実施形態のコンタクトキャップ３１Ａの装着状態を示す図２９〜３３と略同様の状態である。
【００３３】
被測定歯の単歯を生活歯である上側門歯５１として撮影を行う場合、まず、図４１、または、４２に示すように突起３１ｉを上方側として状態でコンタクトキャップ３１をトップカバー１２に装着する。その状態で上側門歯５１と下側門歯５２とを噛み合わせて、上側門歯５１を開口部３１ａの上辺部に当て付け、下側門歯５２を開口部３１ａの下辺部に当て付ける。このように当て付けることによって撮影される側の上側門歯５１側の歯茎が上辺部の薄い厚みｔ1 側によくフィットした状態で保持される。したがって、門歯５１が横にずれにくく、且つ、門歯まわりの外光が開口部から侵入しにくくなる。さらに、上，下の門歯を噛み合わせた状態では、図４１に示すように上側門歯５１に対して下側門歯５２の方が僅かに後方に位置しており、上辺と下辺の厚みの差による段差に合致し、また、下辺部の厚い厚みｔ2 側に当て付くので光軸Ｏ方向が安定して位置決めできる。
【００３４】
上述した被写体位置決め状態で図４２に示されるように上側門歯（単歯）５１全体を開口部３１ａ内の中央に入るように微調整し、カメラ２を固定保持して、上記測定撮影モードでの撮影を行う。但し、撮影中、患者の頭部は、移動しないように何らかの保持具により固定しておく必要がある。
【００３５】
上述した上側門歯５１の撮影に替えて生活歯である下側門歯５２を被測定歯の単歯としての撮影を行う場合は、コンタクトキャップ３１を上述の状態とは逆にトップカバー１２に対して突起３１ｉを下側にして装着する。患者は、下側門歯５２を上側門歯５１よりも前にせり出させて門歯をかみ合わせ、下側門歯５２を中央開口部３１ａの中央に位置させる。そして、下側門歯５２の歯茎を開口部３１ａの上辺部（厚みｔ1 側であり、撮影状態では開口部３１ａの下方となる）に当て付け、同時に上側門歯５１を開口部３１ａの下辺部（厚みｔ2 側であり、撮影状態では開口部３１ａの上方となる）に当て付ける。この当て付け状態により上側門歯５１の撮影状態と同様に下側門歯５２を遮光状態のよい状態で中央開口部３１ａの中央にしっかり固定することができ、上記測定撮影モードでの撮影を行うことができる。
【００３６】
上述したようにカメラ２に本実施形態のコンタクトキャップ３１を適用した場合、まず、該キャップが黒色の材料で形成され、さらに、内面全体をシボ面としていることから外乱光を効率よく吸収し、迷光の吸収にも効果があり、撮影画像に違和感が生じず、精度のよい測定結果（撮影画像データ）が得られる。特に中央開口部３１ａの周囲のキャップ内面や前述したトップカバー１２の前方の切り欠き部１２ｂに対応するキャップ内面には、ＬＥＤ照明光が当たることになるがそれらの面が上述のように黒色でシボ面となっていることから正反射が回避され、また、内部散乱光が軽減される。
【００３７】
また、コンタクトキャップ３１は、伸縮可能な薄さのキャップ部材で形成されていることからカメラ側のトップカバー１２への着脱が容易である。すなわち、該キャップ３１をトップカバー１２に被せた後、両側の延出部３１ｂを伸ばして係止突起１２ｃに容易に係止して、装着状態とすることができる。
【００３８】
そして、コンタクトキャップ３１の内面部が上下，左右に対称形状を有していることからトップカバー１２に対して上下方向逆にも取り付けることが可能であり、上側門歯５１と下側門歯５２との双方の撮影に利用できる。その場合、キャップ部３１ｊの端部上側に突起３１ｉが設けられていることからコンタクトキャップ３１が上側、または、下側のいずれの歯が撮影可能な状態に装着されているかが外観から容易に判断できる。
【００３９】
また、中央開口部３１ａの大きさが撮影対象となる一般の大人の門歯の大きさの上限を考慮した適切な大きさに設定されており、どのような患者にも対応することができる。しかも、該開口部が必要以上には大きくないことから外光の侵入が抑えられると同時に患者口内からの息がカメラ側に入りにくくなり、トップカバー１２の撮影窓部１２ａの曇りが抑えられる。
【００４０】
さらに、中央開口部３１ａの上辺部と下辺部の厚みが上辺側を薄く、下辺側を厚く設定していることから被測定歯（門歯）側のフィット性がよく、ずれにくく、また、上辺と下辺の厚み差による段差が門歯の噛み合わせに合致して安定した位置決めができ、さらに、門歯まわり外光が遮光できるなどの効果を奏する。
【００４１】
次に、上記第一の実施形態のコンタクトキャップ３１の中央開口部３１ａ形状に対する変形例について、図４３の該変形例を適用したコンタクトキャップの正面図を用いて説明する。この変形例のコンタクトキャップ３１Ａにおいては、中央開口部（窓部）３１ａの上下辺の中央位置にそれぞれ小さい切り欠き状のノッチ３１ｅが設けられる。撮影時にカメラ２のＬＣＤ表示部１６により被写体画像を観察する際、該ノッチ３１ｅの位置を確認することによって撮影画面の中央位置を認識し、撮影される単歯を常に中央に配置することが容易になる。
【００４２】
次に、本発明の第二の実施形態のコンタクトキャップについて、図４４〜５２を用いて説明する。  
図４４〜４９は、上記第二の実施形態のコンタクトキャップの外観形状を示す図であって、図４４は、正面図であり、図４５，４６は、左，右側面図であり、図４７，４８は、平面図と下面図である。図４９は、背面図である。図５０は、図４４のＦ−Ｆ断面図である。図５１は、上記測定撮影モードでの単歯撮影状態を図５０の断面上で示した図である。図５２は、単歯撮影状態における図５１のＧ矢視図を示す。前述したように図２９〜３３には、本第二の実施形態のコンタクトキャップを上記カメラに装着した状態の外観図が示されている。なお、図５１には本実施形態のコンタクトキャップが装着されたトップカバー１２およびカメラ本体内に撮影光軸Ｏに沿って配されるＬＥＤ照明系１７，撮影光学系１８，撮像部１９も２点鎖線で示されている。
【００４３】
本実施形態のコンタクトキャップ３１Ｂは、前記第一の実施形態のコンタクトキャップ３１に対して図４４，４７に示すように撮影用窓部となる中央開口部３１ａが設けられる前面部に新たにバイト部３１ｆ、および、遮光用ひれ部３１ｇが配される点が異なっている。その他は、コンタクトキャップ３１と同一材料で形成され、かつ、同一形状を有している。その同一形状部には、同一の符号を付し、以下、異なる部分について説明する。
【００４４】
図４４，４７に示すように本実施形態のコンタクトキャップ３１Ａには、コンタクトキャップ３１に対してさらにキャップ部３１ｊ前面の中央開口部３１ａの下辺位置で前方に突出した形状を有する突起部であるバイト部３１ｆと、中央開口部３１ａの左右の位置に上下方向に沿い、前方に突出した一対の遮光用ひれ部３１ｇが付加して設けられる。バイト部３１ｆは、ある程度の剛性を有している。ひれ部３１ｇは、厚みが薄く柔軟性のある部分で形成される。その他、コンタクトキャップ３１Ａは、コンタクトキャップ３１と同様にキャップの内部が上下、左右対称形状を有しており、トップカバー１２との係止用の係止穴３１ｄを有し、中央開口部３１ａの寸法Ｐ1 ，Ｐ2 がそれぞれ１２mmであり、さらに、中央開口部３１ａの上辺部の厚みｔ1 が薄く、下辺部の厚みｔ2 が厚いことなど同様の形状を有している。
【００４５】
このコンタクトキャップ３１Ｂもコンタクトキャップ３１の場合と同様に測定撮影モードでの撮影（測定）時にカメラ２のトップカバー１２の前方に装着されて使用されるが、このコンタクトキャップ３１Ｂを装着したときの撮影時には、図５１に示すように患者は、上下の門歯５１，５２でバイト部３１ｆを噛み込む。この状態で被写体となる単歯（生活歯）としての上側門歯５１は、上側歯茎が開口部３１ａの上辺側に当てつけた状態で図５２に示すように開口部３１ａの中央に位置させる。さらに、患者は、上下の門歯５１，５２でバイト部３１ｆを噛むとき、柔軟性のある左右のひれ部３１ｇを上下の歯の外側に沿わせた状態で口内に挿入する。
【００４６】
上述したコンタクトキャップ３１Ｂのくわえ込み状態では、中央開口部３１ａに侵入する外乱光は、左右のひれ部３１ｇで遮光されて開口部３１ａには到達しない。また、図５１のようにある程度、剛性のあるバイト部を上下の門歯５１，５２で噛み込むので上側門歯５１が開口部３１ａに対して光軸Ｏ方向および上下左右に相対的に移動しにくい状態（ずれにくい状態）に保持される。従って、撮影中に患者の頭部を固定するための固定具の固定力は、それ程、強い力を必要としない。
【００４７】
また、コンタクトキャップ３１Ｂにおいてバイト部３１ｆのある開口部下辺側の厚さｔ2 は、コンタクトキャップ３１と場合と同様に開口部上辺側の厚さｔ1 より厚く設定されている。コンタクトキャップ３１Ｂの場合は、上述のようにバイト部３１ｆを上下の門歯で噛み込むことから図５１に示すように被写体となる上側門歯５１の前面位置が中央開口部３１ａの内側表面から安定した距離に位置される。従って、撮影時の被写体距離がほとんど変化しない状態が得られ、安定した撮影画像データが得られる。
【００４８】
また、撮影状態で歯からの正反射光が撮影画面に入ると測定誤差を生じる原因となるが、その場合、正反射光をなくすようにカメラ２の歯に対する角度（光軸Ｏ方向）を微調節する必要がある。その角度調整時に上述のように門歯５１，５２でバイト部３１ｆを噛み込んでいれば、噛み込んだバイト上の位置を中心にトップカバー１２をピボット回動させることが可能であり、その回動調整によって光軸Ｏ方向を変えて正反射のない状態を得ることができる。すなわち、一旦、門歯５１の開口部３１ａに対する座標を決めたならば、その座標を変えない状態のまま（門歯５１が中央に位置する状態）でトップカバー１２のみをピボット回動させて正反射のない撮影画像データを取り込むことができる。
【００４９】
なお、コンタクトキャップ３１Ａを利用して下側門歯５２を撮影する場合も前記第一の実施形態の場合と同様にコンタクトキャップ３１Ａを上下逆方向にしてトップカバー１２に装着した状態で行う。この場合も同様にひれ部３１ｇを口内に挿入し、かつ、門歯５１，５２でバイト部３１ｆを噛み込んだ状態とし、下側門歯５２を中央開口部３１ａ中央に位置させて、上述と同様の方法で下側門歯５２の撮影を行うことができる。
【００５０】
上述したように本実施形態のコンタクトキャップ３１Ａを適用した場合、前記第一の実施形態のコンタクトキャップ３１による場合と同様の効果を奏する以外に、バイト部３１ｆを上下門歯で噛み込むことによって被写体となる歯の相対位置がずれにくい状態で保持でき、さらに、正反射のない状態が容易に得られる。また、上述のように位置ずれが生じにくいことから撮影時、患者の頭部を固定する固定具の押圧力も軽減できる。さらに、柔軟性のあるひれ部３１ｇを口中に苦痛のない状態で挿入することができ、外乱光の開口部３１ａからの侵入を確実に防止できる。
【００５１】
次に、本発明の第三の実施形態のコンタクトキャップについて、図５３〜５６を用いて説明する。  
図５３は、上記第三の実施形態のコンタクトキャップの縦断面図である（第二の実施形態における図５０の断面図に対応する）。図５４は、図５３のＨ矢視図である。図５５は、上記測定撮影モードでの単歯撮影状態を図５３の断面上で示した図である。図５６は、単歯撮影状態における図５５のＩ矢視図を示す。なお、図５５にはコンタクトキャップ３１Ｃが装着されたトップカバー１２およびカメラ本体内に撮影光軸Ｏに沿って配されるＬＥＤ照明系１７，撮影光学系１８，撮像部１９も２点鎖線で示されている。
【００５２】
本実施形態のコンタクトキャップ３１Ｃは、前記第二の実施形態のコンタクトキャップ３１Ｂに対して図５３，５４に示すようにバイト部３１ｆの上面に凹部３１ｈを設けたものである。その他は、コンタクトキャップ３１、または、３１Ｂと同一材料で形成され、かつ、同一形状を有している。その同一形状部には、同一の符号を付し、以下、異なる部分について説明する。
【００５３】
前述した第二の実施形態のコンタクトキャップ３１Ｂでは、撮影時に図５１に示すように門歯５１，５２でバイト部３１ｆが噛み込まれる。その噛み込み状態で図５２に示すように門歯の切縁部５１ａは、バイト部３１ｆの表面に当接する。従って、その当接部近傍Ｊ1 がエッヂ効果により光量が不足し、該当部分が暗い画像となり、シェード測定上、正確なデータが得られないといった不具合が生じる可能性がある。
【００５４】
そこで、本実施形態のコンタクトキャップ３１Ｃにおいては、図５３，５４，５６に示すようにバイト部３１ｆＣの上面にカメラ側に開放する状態の凹部３１ｈを設ける。この凹部３１ｈの形状は、測定対象の単歯（生活歯）、例えば、門歯５１の幅より狭い左右の幅Ｓ1 と、エッヂ効果によるエッヂロスを生じさせない、あるいは、低減させる離間距離を与えるだけの深さＳ2 を有している。バイト部３１ｆＣを噛む門歯５１は、凹部３１ｈの両サイドで当接するのでその当接部ではエッヂロスが生じる。しかし、エッヂ効果の及ぶ範囲Ｊ2 が、例えば、当接端から２．５mm程度の範囲であるとすれば、上記左右の幅Ｓ1 を５mm以上に設定することにより門歯５１の切縁部の中央部５１a0は、エッヂロスのない、あるいは、低減される範囲となり、より正確な撮影画像（色測定データ）が得られる。
【００５５】
なお、コンタクトキャップ３１Ｃを上下逆方向に装着して下側門歯５２を撮影する場合も同様に凹部３１ｈの中央部分に位置する下側門歯５２の切縁部中央はエッヂロスが生じないか、あるいは、低減された状態が得られる。
【００５６】
上述したように本実施形態のコンタクトキャップ３１Ｃを適用した場合、前記第一，二の実施形態のコンタクトキャップ３１，３１Ａによる場合と同様の効果を奏するとともにさらに、バイト部３１ｆＣに所定幅の凹部３１ｈを設けることによって少なくとも被写体となる単歯の切縁部中央部分にはエッヂロスの低減された状態が得られ、より正確な撮影画像（シェード測定データ）が得られる。
【００５７】
なお、上述した各実施形態のコンタクトキャップを用いた撮影（測定）状態は、生活歯である上下の門歯（前歯）を被写体とした場合について説明したが、これに限らず、門歯以外の犬歯等の撮影に対しても同様にして適用することができる。さらに、生活歯に限らず、現在すでに患者に入れられている義歯の撮影にも適用することは勿論可能である。
【産業上の利用可能性】
【００５８】
本発明による歯科用歯測定用コンタクトキャップは、歯科用歯測定装置に適用され、被写体となる歯を外光の影響を受けないような状態で撮影でき、かつ、安定した撮影位置に位置させることが可能な歯科用歯測定用コンタクトキャップとして利用可能である。
【図面の簡単な説明】
【００５９】
【図１】本発明の各実施形態の撮影用コンタクトキャップを適用可能なカメラとクレードルからなる歯科用歯測定（撮影）装置であるＨＭＳＣ装置の外観を示す斜視図であって、遮光カバー開状態を示す。
【図２】図１のＨＭＳＣ装置の外観を示す斜視図であって、遮光カバー閉状態を示す。
【図３】図１のＨＭＳＣ装置のクレードルの外観を示す斜視図であって、遮光カバー開状態を示す。
【図４】図３のクレードルの外観を示す斜視図であって、遮光カバー閉状態を示す。
【図５】図１のＨＭＳＣ装置のカメラの外観を示す正面側から見た斜視図である。
【図６】図５のカメラを背面側から見た斜視図である。
【図７】図５のカメラを背面側上方から見た斜視図である。
【図８】図５のカメラの正面図である。
【図９】図５のカメラの左側面図である。
【図１０】図５のカメラの右側面図である。
【図１１】図５のカメラの平面図である。
【図１２】図５のカメラの下面図である。
【図１３】図５のカメラの背面図である。
【図１４】図９のＡ矢視図である。
【図１５】図３のクレードルの正面図である。
【図１６】図３のクレードルの左側面図である。
【図１７】図３のクレードルの右側面図である。
【図１８】図３のクレードルの平面図である。
【図１９】図３のクレードルの下面図である。
【図２０】図３のクレードルの背面図である。
【図２１】図１６のＢ矢視図である。
【図２２】図５のカメラを図３のクレードルに装着した状態の正面図である。
【図２３】図５のカメラを図３のクレードルに装着した状態の左側面図である。
【図２４】図５のカメラを図３のクレードルに装着した状態の右側面図である。
【図２５】図５のカメラを図３のクレードルに装着した状態の平面図である。
【図２６】図５のカメラを図３のクレードルに装着した状態の下面図である。
【図２７】図５のカメラを図３のクレードルに装着した状態の背面図である。
【図２８】図２３のＣ矢視図である。
【図２９】本発明の後述する第二の実施形態の撮影用コンタクトキャップを図５のカメラに装着した状態を示す正面図である。
【図３０】図２９のコンタクトキャップをカメラに装着した状態の左側面図である。
【図３１】図２９のコンタクトキャップをカメラに装着した状態の右側面図である。
【図３２】図２９のコンタクトキャップをカメラに装着した状態の平面図である。
【図３３】図２９のコンタクトキャップをカメラに装着した状態の下面図である。
【図３４】本発明の第一の実施形態のコンタクトキャップの正面図である。
【図３５】図３４のコンタクトキャップの左側面図である。
【図３６】図３４のコンタクトキャップの右側面図である。
【図３７】図３４のコンタクトキャップの平面図である。
【図３８】図３４のコンタクトキャップの下面図である。
【図３９】図３４のコンタクトキャップの背面図である。
【図４０】図３４のＤ−Ｄ断面図である。
【図４１】図３４のコンタクトキャップを図５のカメラに装着して単歯撮影を行う状態を図４０の断面上で示した図である。
【図４２】図４１のＥ矢視図を示す。
【図４３】図３４のコンタクトキャップの開口部に対する変形例を適用したコンタクトキャップの正面図である。
【図４４】本発明の第二の実施形態のコンタクトキャップの正面図である。
【図４５】図４４のコンタクトキャップの左側面図である。
【図４６】図４４のコンタクトキャップの右側面図である。
【図４７】図４４のコンタクトキャップの平面図である。
【図４８】図４４のコンタクトキャップの下面図である。
【図４９】図４４のコンタクトキャップの背面図である。
【図５０】図４４のＦ−Ｆ断面図である。
【図５１】図４４のコンタクトキャップを図５のカメラに装着して単歯撮影を行う状態を図５０の断面上で示した図である。
【図５２】図５１のＧ矢視図を示す。
【図５３】本発明の第三の実施形態のコンタクトキャップの縦断面図（図５０の断面図に対応）である。
【図５４】図５３のＨ矢視図である。
【図５５】図５３のコンタクトキャップを図５のカメラに装着して単歯撮影を行う状態を図５３の断面上で示した図である。
【図５６】図５５のＩ矢視図である。
【符号の説明】
【００６０】
３１，３１Ａ，３１Ｂ，３１Ｃ
…コンタクトキャップ
３１ａ…中央開口部（開口部）
３１ｊ…キャップ部
３１ｆ…バイト部（突起部）
３１ｇ…ひれ部
５１  …上側門歯（被測定歯）
５２  …下側門歯（被測定歯）
ｔ1 …上辺部厚さ（一辺部の厚み）
ｔ2 …下辺部厚さ（他辺部の厚み）
代理人      弁理士    伊  藤    進
【図１】
2006180947.tif 000003
【図２】
2006180947.tif 000004
【図３】
2006180947.tif 000005
【図４】
2006180947.tif 000006
【図５】
2006180947.tif 000007
【図６】
2006180947.tif 000008
【図７】
2006180947.tif 000009
【図８】
2006180947.tif 000010
【図９】
2006180947.tif 000011
【図１０】
2006180947.tif 000012
【図１１】
2006180947.tif 000013
【図１２】
2006180947.tif 000014
【図１３】
2006180947.tif 000015
【図１４】
2006180947.tif 000016
【図１５】
2006180947.tif 000017
【図１６】
2006180947.tif 000018
【図１７】
2006180947.tif 000019
【図１８】
2006180947.tif 000020
【図１９】
2006180947.tif 000021
【図２０】
2006180947.tif 000022
【図２１】
2006180947.tif 000023
【図２２】
2006180947.tif 000024
【図２３】
2006180947.tif 000025
【図２４】
2006180947.tif 000026
【図２５】
2006180947.tif 000027
【図２６】
2006180947.tif 000028
【図２７】
2006180947.tif 000029
【図２８】
2006180947.tif 000030
【図２９】
2006180947.tif 000031
【図３０】
2006180947.tif 000032
【図３１】
2006180947.tif 000033
【図３２】
2006180947.tif 000034
【図３３】
2006180947.tif 000035
【図３４】
2006180947.tif 000036
【図３５】
2006180947.tif 000037
【図３６】
2006180947.tif 000038
【図３７】
2006180947.tif 000039
【図３８】
2006180947.tif 000040
【図３９】
2006180947.tif 000041
【図４０】
2006180947.tif 000042
【図４１】
2006180947.tif 000043
【図４２】
2006180947.tif 000044
【図４３】
2006180947.tif 000045
【図４４】
2006180947.tif 000046
【図４５】
2006180947.tif 000047
【図４６】
2006180947.tif 000048
【図４７】
2006180947.tif 000049
【図４８】
2006180947.tif 000050
【図４９】
2006180947.tif 000051
【図５０】
2006180947.tif 000052
【図５１】
2006180947.tif 000053
【図５２】
2006180947.tif 000054
【図５３】
2006180947.tif 000055
【図５４】
2006180947.tif 000056
【図５５】
2006180947.tif 000057
【図５６】
2006180947.tif 000058